(57)【特許請求の範囲】
【請求項１】
デジタル放送を受信するチューナとデジタル復調部とからなるフロントエンド部を複数個有し、同時に複数のデジタル放送サービスを受信して提示する機能を備えたデジタル放送受信装置であって、
現在視聴中の放送サービスに使用していないフロントエンド部を用いて放送サービスの内のデータ放送のデータを受信し、
前記受信したデータを放送サービスを識別する情報とともに内部又は外部の記憶装置にデータベース化して記録し、
データ放送を含む放送サービスを提示する場合、前記提示の放送サービスにおけるデータ放送のデータがデータベース化されているか否かを確認し、
データベース化されていれば、データベース化されているデータが現在放送されているデータと同じものか否かを確認し、同じであれば、前記データベース化されているデータを優先的に使用してデータ放送の提示を行う
ことを特徴とするデジタル放送受信装置。
【請求項２】
請求項１に記載のデジタル放送受信装置において、
データ放送のデータベース化の選局と受信を一定周期毎に実施することを特徴とするデジタル放送受信装置。
【請求項３】
デジタル放送を受信するチューナとデジタル復調部とからなるフロントエンド部を有し、前記フロントエンド部とは別の任意形式の外部バスを介して接続する取り外し可能なフロントエンド部を有するデジタル放送受信装置であって、
前記取り外し可能なフロントエンド部を視聴中の放送サービスに使用していないときに、前記取り外し可能なフロントエンド部を用いて放送サービス内のデータ放送のデータを受信し、
前記受信したデータを内部又は外部の記憶装置にデータベース化して記録し、
データ放送を含む放送サービスを提示する場合、前記提示の放送サービスにおけるデータ放送のデータがデータベース化されているか否かを確認し、
データベース化されていれば、データベース化されているデータが現在放送されているデータと同じものか否かを確認し、同じであれば、前記データベース化されているデータを優先的に使用してデータ放送の提示を行う
ことを特徴とするデジタル放送受信装置。
【請求項４】
請求項３に記載のデジタル放送受信装置において、
前記取り外し可能なフロントエンド部の内部に記憶装置を設けることを特徴とするデジタル放送受信装置。
【発明の詳細な説明】
【０００１】
【発明の属する技術分野】
本発明は、データ放送を含むデジタル放送を受信するデジタル放送受信装置にし、特に、複数のフロントエンド部を有する受信装置におけるデータ放送サービス技術に関する。
【０００２】
【従来の技術】
デジタル放送ではＭＰＥＧ２（Ｍｏｖｉｎｇ  Ｐｉｃｔｕｒｅ  ＥｘｐｅｒｔＧｒｏｕｐ）等により符号化された映像、音声、データ等をトランスポートストリームに多重化して伝送している。このようなデジタル放送において、ユーザ望むサービスを新たに選択するということはトランスポートストリームを選択することになる。
【０００３】
このユーザが新たなサービスを選択するという動作において、従来はユーザがサービスの選択を指示すると、まず黒画面を提示し、その後サービスの切り換えを実施する。そして、映像や音声、データなどの準備ができてからそれらを表示するという方法でサービスの切り換えを行っていた。
【０００４】
このなかでも特にデータが含まれるサービス（以下、データ放送と称する）の場合はサービスを切り換えた後にデータを取得し、取得したデータを処理し、ユーザに提示する準備ができてから画面に表示を行っている。
【０００５】
このデータ放送は、データカルーセル方式で送られるため、一連のデータを取得し処理した後に提示するため、サービスの内容によってはサービス選択から内容提示までにかなりの時間を要する場合があり、その間、黒画面の提示により待たせることになる。また、データ放送はＢＭＬ（Ｂｒｏａｄｃａｓｔ  Ｍａｒｋｕｐ  Ｌａｎｇｕａｇｅ）という言語で記述されており、画面提示のためにはこの内容を解析し、処理する必要がある。
【０００６】
このように、従来技術では新たなサービスを選択する度に、データ放送サービスの受信して提示を行うものであり、すなわちサービスが必要とする一連のデータを全て放送受信によって取得していたために、この受信処理にかかる時間を待ってから提示せざるを得なかった。
【０００７】
特開２０００−３６９４６号公報に、データ放送サービスがユーザヘ提示されまでの時間を短縮する技術を開示しているが、データ受信後のデータ格納における処理の効率に配慮したものである。
【０００８】
【発明が解決しようとする課題】
上述したように、データ放送においては、ユーザがサービスを切り換える指示を出してから、画面上に表示されるまでの間に、データの取得、およびデータの処理がおこなわれる。したがって、これらの処理の間は画面上には黒画面が表示されており、ユーザを待たせることとなっていた。
【０００９】
また、この期間中にデータ取得中あるいはデータ処理中であることを示すメッセージを出す等の方法があるが、ユーザーを待たせることには変わりない。
【００１０】
本発明の目的は、現在の視聴に使用していないフロントエンドを用いて他サービスのデータ放送のデータを蓄積しておくことで必要とするデータを素早く利用することにある。
【００１１】
また、本発明の他の目的は、データ放送のデータ蓄積手段を採用しない場合、データ放送を含むサービスを提示するまでの間、これより前に選択していたサービスを表示し続けることにより、表示までの待ち時間を緩和することにある。
【００１２】
【課題を解決するための手段】
前記課題を解決するために、本発明は主として次のような構成を採用する。
デジタル放送を受信するチューナとデジタル復調部とからなるフロントエンド部を複数個有し、同時に複数のデジタル放送サービスを受信して提示する機能を備えたデジタル放送受信装置であって、
現在視聴中の放送サービスに使用していないフロントエンド部を用いて放送サービスの内のデータ放送のデータを受信し、
前記受信したデータを放送サービスを識別する情報とともに内部又は外部の記憶装置にデータベース化して記録し、
データ放送を含む放送サービスを提示する場合、前記提示の放送サービスにおけるデータ放送のデータがデータベース化されているか否かを確認し、
データベース化されていれば、データベース化されているデータが現在放送されているデータと同じものか否かを確認し、同じであれば、前記データベース化されているデータを優先的に使用してデータ放送の提示を行うデジタル放送受信装置。
【００１３】
また、デジタル放送を受信するチューナとデジタル復調部とからなるフロントエンド部を有し、前記フロントエンド部とは別の任意形式の外部バスを介して接続する取り外し可能なフロントエンド部を有するデジタル放送受信装置であって、
前記取り外し可能なフロントエンド部を視聴中の放送サービスに使用していないときに、前記取り外し可能なフロントエンド部を用いて放送サービス内のデータ放送のデータを受信し、
前記受信したデータを内部又は外部の記憶装置にデータベース化して記録し、
データ放送を含む放送サービスを提示する場合、前記提示の放送サービスにおけるデータ放送のデータがデータベース化されているか否かを確認し、
データベース化されていれば、データベース化されているデータが現在放送されているデータと同じものか否かを確認し、同じであれば、前記データベース化されているデータを優先的に使用してデータ放送の提示を行うデジタル放送受信装置。
【００１５】
【発明の実施の形態】
本発明の実施形態に係るデジタル放送受信装置について、図１〜図６を用いて以下説明する。図１は本実施形態に係るデジタル放送受信装置の構成を示すブロック図である。図２は本発明の他の実施形態に係るデジタル放送受信装置における処理フロー例１を示す図であり、図３は本発明の他の実施形態と従来技術におけるデータ提示の態様を説明する図であり、図４は本発明の他の実施形態に係るデジタル放送受信装置における処理フロー例２を示す図であり、図５は本発明の別の実施形態に係るデジタル放送受信装置の構成を示すブロック図であり、図６は本発明の更に別の実施形態に係るデジタル放送受信装置の構成を示すブロック図である。
【００１６】
図１において、放送局から発信された電波は受信アンテナ１を通り、デジタルテレビ放送フロントエンド部（デジタル放送を受信するチューナとデジタル復調部から構成されるもの）２で受信される。デジタルテレビ放送フロントエンド部２は主フロントエンド部２ａと副フロントエンド部２ｂから構成される。主フロントエンド部２ａは、ユーザが視聴しているサービスを受信するためのフロントエンドで、副フロントエンド部２ｂは、ユーザが視聴しているサービスとは関係なくバックグラウンドでデータ放送のデータを蓄積するためのフロントエンドである。
【００１７】
ここでは、主・副という区別を便宜上しているが、主・副の区別をしないような構成でもよい。また、図１の構成例ではフロントエンド部は主・副の２つから構成されているが３つ以上のフロントエンド部から構成されていてもよい。
【００１８】
デジタルテレビ放送フロントエンド部２でデジタルテレビ放送信号は受信されて、映像／音声／データに分離され、映像／音声信号は映像／音声信号デコーダ３でデコードされ、ビデオ信号はビデオ／ＯＳＤ信号合成部５を通って映像出力１４に出力される。一方、音声信号は、データ放送の音声データと信号を合成する音声信号合成部４を通って、音声出力１３に出力される。
【００１９】
主フロントエンド部２ａはユーザが視聴しているサービスを受信しているので、ユーザはリモコン６を操作することにより、主フロントエンド２ａをコントロールすることができる。ユーザがリモコン６を操作するとその信号はリモコン受信部７で受信される。受信された信号が、選局等フロントエンドに関する操作の場合は、リモコン受信部７はフロントエンド管理部１５に信号を出し、フロントエンド管理部１５は主フロントエンド部２ａに指示を出す。
【００２０】
一方、副フロントエンド部２ｂはユーザの操作とは関係なく電波を受信し、その信号にデータ放送が含まれる場合は、ＤＳＭ−ＣＣ部９にデータ放送の信号を送り、その信号を蓄積管理部１０でデータベース化し、そのデータを蓄積装置部１１に蓄積する。
【００２１】
フロントエンド部２ｂが受信するサービスは、あらかじめユーザが指定した特定のサービスであったり、順次すべてのサービスを選局したりすることが想定される。例えば、ユーザが特定のサービスに関するデータ放送について、副フロントエンド２ｂを用いてバックグラウンドで蓄積装置部１１に蓄積する場合は、リモコン６を操作し、リモコン受信部７がその信号をフロントエンド管理部１５に送信する。フロントエンド管理部１５はユーザの指示どおり、副フロントエンド部２ｂに対して、ユーザが希望するサービスを受信するように指示し、受信したデータ放送のデータはＤＳＭ−ＣＣデコーダ部９でデコードされた後、蓄積装置管理部１０に渡されデータベース化してから蓄積装置部１１にバックグラウンドでデータが蓄積される。
【００２２】
蓄積装置部１１に蓄積されるデータベース化されたデータとしては、サービスＩＤ（チャンネル番号）、蓄積されるモジュールのバージョン、蓄積されるモジュールのＣＲＣ、カルーセル方式で伝送される場合は、ＤＩＩのバージョン、モジュールデータ等が想定される。
【００２３】
次に、データ放送を視聴する場合における、図１に示すデジタル放送受信装置の動作について説明する。まず、図１のリモコン６上のデータ放送キーを押圧し、この押圧の信号を図１のリモコン受信部７が受信し、データ放送キーが押されたことをデータ放送表示ブラウザ部８に通知する。
【００２４】
データ放送表示ブラウザ部８は蓄積装置管理部１０にデータ放送の表示に必要なデータを要求する。蓄積装置管理部１０は蓄積装置部１１に要求されたデータが存在するかどうか確認する。存在すればそのデータのＤＩＩのバージョンやモジュールデータのＣＲＣ等と、現在放送されているデータ放送のＤＩＩのバージョンやモジュールデータのＣＲＣ等とを比較し、現在放送されているデータと同じものが蓄積装置部１１に蓄積されていると判断した場合は、蓄積装置部１１から蓄積装置管理部１０を通してデータ放送表示ブラウザ部８に送信する。
【００２５】
データが蓄積装置部１１にデータが存在しない、あるいは存在はしているが、蓄積されているデータが現在放送されているデータより古い場合は、ＤＳＭ−ＣＣデコーダ部９にデータ取得要求を行う。ＤＳＭ−ＣＣデコーダ部９はデジタルテレビ放送フロントエンド部２から入力されるデータ放送信号のなかで必要なデータを選択デコードし、デコードした信号を蓄積装置管理部１０に送信する。蓄積装置管理部１０は蓄積装置部１１にデータを蓄積する。必要なデータがすべて蓄積装置部１１に蓄積されると、そのデータを蓄積装置管理部１０をとおしてデータ放送表示ブラウザ部８に送信し、データ放送表示ブラウザ部８で解釈し、ＯＳＤ表示部１２で描画を行い、ビデオ／ＯＳＤ信号合成部５でビデオ信号と合成され、映像出力１４に出力される。
【００２６】
以上のように、現在の視聴に使用していないフロントエンドを用いて、バックグラウンドで他のサービスのデータ放送のデータを蓄積しておけるので、必要なときに、データ取得の必要がなく、蓄積しておいたデータを利用することができる。そして、データベース内のデータを優先的に利用するので、選局後新たにデータを取得するのに比べて、データ放送が提示されるまでの時間を短縮できる。
【００２７】
換言すると、視聴中のサービス提示に使っていない等の空いている方のフロントエンドを用い、一部または全部のサービスのデー夕放送データをデータベース化して記録しておくことにより、既にデータベース化しているサービスに関してはカルーセルでのデータ取得を待たずにデータ放送の提示が可能になるため、データ放送サービスの提示時間を大幅に改善することができる。また、独立系（テレビやラジオ放送の映像や音声と関係がない、連携していないデータ放送）の場合は、データをインデックス化し、好きな時に呼び出して提示することが出来る。
【００２８】
次に、データ放送のデータベース化の選局、受信操作を一定周期毎に継続的に実施する処理態様について説明する。ユーザが主フロントエンド部２ａでサービスを受信し、視聴しているとする。このときバックグラウンドで、フロントエンド管理部１５が副フロントエンド部２ｂに対して選局指示を出す。副フロントエンド部２ｂは受信した信号のうちデータ放送部分を分離し、ＤＳＭ−ＣＣデコーダ部９にデータを流す。ＤＳＭ−ＣＣデコーダ部９でデコードされたデータは蓄積装置管理部１０でデータベース化され、蓄積装置部１１に蓄積される。
【００２９】
このサービスに関するデータ放送のデータの蓄積が終了すると、蓄積装置管理部１０は蓄積が終了したことをフロントエンド管理部１５に通知し、フロントエンド管理部１５は新たなサービスを選局し、同様の処理を行う。これらの処理を現在放送されているサービスすべてに対して行えば、全サービスに関するデータ放送のデータが蓄積装置部１１に蓄積されることになる。
【００３０】
なお、順次選局を繰り返した場合、２順目以降は、放送されているデータが更新されていなければ既に蓄積されているので、無駄な処理を省くために、現在放送されているデータと蓄積されているデータが異なっているかを判断するようにすることも想定できる。
【００３１】
以上のように、放送されている様々なサービスに関するデータ放送のデータベース化を一定周期毎に継続時に実施するので、いつも最新のデータ放送のデータが蓄積されることになる。更に、現在視聴中のサービスに使用していないフロントエンドが１つしかないような場合でも、現在放送されている全サービスに関するデータ放送のデータを一定周期毎にバックグラウンドで受信し、データベース化して内部又は外部の記憶装置に蓄積しておける。
【００３２】
また、本発明の別の実施形態として、フロントエンド部が取り外し可能な構成が考えられる。この取外しが可能なフロントエンド部の一例として、カード型チューナ装置（以下、カード型チューナと称する）を取り上げる。また、取外しが可能なフロントエンド部の形態はカード型だけとは限らない。
【００３３】
図５はカード型チューナ１６を接続することが可能な受信機のブロック図である。カード型チューナ１６を接続することが可能な受信機で、カード型チューナ１６が接続されていないときには、受信機はフロントエンド部２が一つのみとなる。そのため、ユーザーが視聴中は空いているフロントエンド部２がないため、データ放送のデータを受信してデータベースを作成することができない。この場合は、フロントエンド部２を一つしか持たない受信機と同様の動作となる。
【００３４】
一方、カード型チューナ１６を接続している場合は、フロントエンド部２を複数持つことになるため、これまでの実施形態で述べたものと同様に、受信機内にデータベースを作成する。受信機はカード型チューナ１６が接続されたことを認識すると、フロントエンド管理部１５からカード型チューナ１６に選局指示が送られる。選局指示を受信すると、カード型チューナ１６は順次選局を実行し、受信した信号のデータ放送部分を分離する。分離されたデータはＤＳＭ−ＣＣデコーダ部９でデコードされ、蓄積装置管理部１０により受信機の蓄積装置部１１にデータベース化されて蓄積される。
【００３５】
また、データ放送を視聴する場合は、これまでに説明した複数のフロントエンド部２を持つ受信機と同様に、蓄積装置部１１にデータが存在するかどうかを確かめる。存在する場合はそのデータのＤＩＩのバージョンやモジュールデータのＣＲＣ等と、現在放送されているデータ放送のＤＩＩのバージョンやモジュールデータのＣＲＣ等を比較し、現在放送されているデータと同じものが蓄積装置部１１に蓄積されていると判断した場合は、蓄積装置部１１に蓄積されているデータを表示する。一方、蓄積装置部１１にデータが存在しない、もしくは存在しているが蓄積されているデータが現在放送されているデータより古い場合は、放送波から取得したデータを表示する。
【００３６】
図６はカード型チューナ１６の内部に蓄積装置部１１を持つ場合のブロック図である。この場合、カード型チューナ１６に内蔵された蓄積装置部１１と蓄積装置管理部１０はフロントエンド管理部１５から制御される。カード型チューナ１６が受信した信号のデータ放送部分はＤＳＭ−ＣＣデコーダ部９でデコードされると、フロントエンド管理部１５を通して蓄積装置管理部１０に送られる。蓄積装置管理部１０ではカード型チューナ１６に内蔵されている蓄積装置部１１にデータベース化して蓄積する。
【００３７】
カード型チューナに内蔵された蓄積装置部１１にデータベースが蓄積されている場合、このデータベースを他のカード型チューナ１６を接続可能な受信機で利用することができる。データ放送のデータベースが蓄積されたカード型チューナ１６を他の受信機に接続したときに、その受信機でデータ放送を視聴する場合は、カード型チューナ１６に内蔵された蓄積装置部１１に要求されたデータが存在するかどうかを確認する。存在したときは、現在放送されているデータと比較を行い、現在放送されているデータと同じであると判断した場合には、蓄積装置部１１のデータを表示する。また、データが存在しない、もしくは存在しても古いデータの場合には、放送波からデータを取得し表示する。
【００３８】
次に、データ放送のデータを蓄積する蓄積装置を使用しない場合における、複数フロントエンド部を有したデジタル放送受信装置に関するデータ提示の態様を以下に説明する。
【００３９】
図２は本発明の他の実施形態に係るデジタル放送受信装置における処理フロー例１を示す図であり、現在視聴中のサービスは一のフロントエンド部で受信している場合、ユーザからの新たなサービス選択の指示である処理１に対し、現在利用していない他のフロントエンド部で新たなサービスの受信を開始（処理３）する。この時取得したトランスポートストリーム中のＳＩ情報により、新たに選択したサービスがデータ放送を含むかどうかを判別することができる（処理４）。
【００４０】
もし新たなサービスがデータ放送を含む場合、データの取得（処理５）と処理（処理６）を他のフロントエンド部で行う。このようにして、デジタル放送受信機で複数のフロントエンド部を備えて同時稼働することにより、データ放送における未表示期間を減少できる。
【００４１】
一方、一のフロントエンド部ではこれまで選択されていたサービスを選択し続け（処理２）、画面上に提示する。一方、他のフロントエンド部でデータの処理が終了し、画面提示の準備が完了したとき（処理７）に２画面表示を行い、これまで提示していたサービスと新たに選択したサービスを同時に提示する（処理８）。
【００４２】
この時、ユーザが操作できる画面は新たに選択したサービスに移動するか、以前に選択していたサービスにするかはユーザが選択できるものである。また、新たなサービスと従来のサービスとを２画面表示したときには、ユーザの操作により、サービスの切り換えを行える。これによりユーザは自分の望むサービスを選択し操作することができる。
【００４３】
図３は本発明の他の実施形態と従来技術におけるデータ提示の態様を比較した図である。従来技術の提示態様では新たなサービスを選択した後に黒画面（画面２）が提示され、その後データの提示が行われる（画面３）。
【００４４】
一方、本発明の他の実施形態では、新たなサービスが選択された後も以前のサービスが提示され続けており（画面１）、新たなサービス提示の準備が完了した段階で、２画面表示により以前のサービスと新たに選択したサービスが表示される（画面４）。
【００４５】
図４は本発明の他の実施形態における処理フロー例２を示す図である。この処理ではデータを取得し、処理してから画面を表示するときに新たに選択されたサービスのみを表示する。この時、一のフロントエンド部で選択されていたサービスは、他のフロントエンド部で画面提示の準備が完了したあと（処理７）に、画面の表示を終了する（処理８）。それと同時に他のフロントエンド部で選択されたサービスの提示を開始し（処理９）、新たなサービスの提示を自動で行う。ここで、前記提示準備の完了後に提示を切り換える代わりに、新たに選択されたサービスの初期提示によって切り換えても良い。また、このサービスの切り換えをユーザの指示により行うことでユーザの利便性を向上させることができる。
【００４６】
この時に表示された新たなサービスと以前に表示されていたサービスは、ユーザの指示により瞬時に切り換えることが可能である。これは、フロントエンド部に対してデータ放送用のメモリ領域を別々に割り当て、ユーザからの切り換え指示に対してアクセスするメモリ領域を変更することで、提示の切り換えを実行する。これによりユーザは以前のサービスと新たなサービスと自分の望むサービスの提示が可能になるため、操作性が向上する。
【００４７】
【発明の効果】
本発明によれば、フロントエンド部を複数個有することにより、現在、視聴に使用していないフロントエンドを用いて、バックグラウンドで他サービスのデータ放送のデータを蓄積しておけるので、必要なときに、データ取得の必要なく、蓄積しておいたデータを即時に利用することができる。更に、データベース内のデータを優先的に利用するので、選局後新たにデータを取得するのに比べて、データ放送が提示されるまでの時間を短縮できる。
【００４８】
また、放送されている様々なサービスに関するデータ放送のデータベース化を一定周期毎に継続時に実施するので、いつも最新のデータ放送のデータが蓄積されて利用することができる。
【００４９】
また、複数のフロントエンド部のうち、いくつかを取り外し可能とすることにより、将来、異なる放送サービスが開始されたときに新たに対応することが可能となる。
【００５０】
また、取り外し可能なフロントエンド部にデータ放送の蓄積装置部を持つことで、データ放送のデータを蓄積した受信機とは別の受信機でもデータ放送の表示を高速化することが可能になり、本体における蓄積用メモリなどを減少させることが可能となる。
【００５１】
また、デジタル放送受信機で複数のフロントエンド部を備えることにより、データ放送における未表示期間を減少できるとともに、データ放送を含むサービスを選択したユーザヘの表示までの待ち時間を減少することができる。
【００５２】
また、新たなサービスを表示した後にも、以前のサービスに切り換えて使用することができるので、操作性を向上することができる。
【図面の簡単な説明】
【図１】本発明の実施形態に係るデジタル放送受信装置の構成を示すブロック図である。
【図２】本発明の他の実施形態に係るデジタル放送受信装置における処理フロー例１を示す図である。
【図３】本発明の他の実施形態と従来技術におけるデータ提示の態様を説明する図である。
【図４】本発明の他の実施形態に係るデジタル放送受信装置における処理フロー例２を示す図である。
【図５】本発明の別の実施形態に関わるデジタル放送受信装置の構成を示すブロック図である。
【図６】本発明の更に別の実施形態に関わるデジタル放送受信装置の構成を示すブロック図である。
【符号の説明】
１  デジタル放送受信アンテナ
２  デジタル放送フロントエンド部
２ａ  主フロントエンド部
２ｂ  副フロントエンド部
３  映像／音声信号デコーダ部
４  音声信号合成部
５  ビデオ／ＯＳＤ信号合成部
６  リモコン
７  リモコン受信部
８  データ放送表示ブラウザ部
９  ＤＳＭ−ＣＣデコーダ部
１０  蓄積装置管理部
１１  蓄積装置部
１２  ＯＳＤ表示部
１３  音声出力
１４  映像出力
１５  フロントエンド管理部
１６  カード型チューナ装置
【図１】
0003916499.tif 000002
【図２】
0003916499.tif 000003
【図３】
0003916499.tif 000004
【図４】
0003916499.tif 000005
【図５】
0003916499.tif 000006
【図６】
0003916499.tif 000007